(57)【要約】【課題】ディスクを安定して回転させることができるブラシレスモータを提供する。【解決手段】ブラシレスモータ１００は、電流の通電によって所定の磁界を周囲に発生させる電磁コイル１０３と、電磁コイル１０３を基板１０６に保持する支柱１０１と、電磁コイル１０３が発生する磁界と磁気的相互作用を生ずる永久磁石１０４と、上面部分が閉口された円筒形状であり、上面部分にターンテーブル部１０７が形成され、円筒部分における内壁面の所定の位置に永久磁石１０４を設け、電磁コイル１０３と永久磁石１０４との間に生ずる磁気的相互作用によって、基板１０６に取り付けられた軸受け１０２を介して回転するロータ１０５を有する。ロータ自身が従来のシャフトの代わりとなるため、モータの軸径が大きくなるので、軸の倒れ強度が増す。これにより、ディスクを安定して回転させることができる。【選択図】        図４
2004236417.tif 000002
【特許請求の範囲】
【請求項１】
電流の通電によって所定の磁界を周囲に発生させる電磁コイルと、
該電磁コイルを保持する支柱と、
前記電磁コイルが発生する磁界と磁気的相互作用を生ずる永久磁石と、
上面部分が閉口された円筒形状であり、該上面部分にターンテーブル部が形成され、該円筒部分における内壁面の所定の位置に前記永久磁石を設け、前記電磁コイルと前記永久磁石との間に生ずる磁気的相互作用によって、基板に取り付けられた軸受けを介して回転するロータと、を有するブラシレスモータ。
【請求項２】
前記ロータは、非熱処理材料を用いたことを特徴とする請求項１記載のブラシレスモータ。
【請求項３】
ディスク装置は、ディスクを駆動させるブラシレスモータを有し、該ブラシレスモータは請求項１又は請求項２記載のブラスレスモータであることを特徴とするディスク装置。
【発明の詳細な説明】
【０００１】
【発明の属する技術分野】
本発明は、ブラシレスモータ及びそれを用いたディスク装置に関する。
【０００２】
【従来の技術】
従来、ＣＤーＲＯＭなどのディスクを駆動させるブラシレスモータとしては、スピンドルモータのシャフトにターンテーブルを圧入固定し、このターンテーブルの上にディスクを載せて回転させる構造のものが提案されている（特許文献１）。この従来のブラシレスモータのシャフトは無垢でできており、このシャフトに電磁コイルが取りついていて、その外面を覆う様に、内面に磁石を取り付けたロータが、シャフトと一体となって回転するというものである。
【０００３】
次に、ブラシレスモータを用いたディスク装置の他の従来例について説明する。図５は、従来のブラシレスモータの断面図である。図５に示すように、従来のブラシレスモータ２００は、シャフト２０１と、軸受け２０２と、電磁コイル２０３と、永久磁石２０４と、ロータ２０５と、基板２０６と、ターンテーブル２０７とから構成されている。
【０００４】
シャフト２０１は、基板２０６に設けられた軸受け２０２によって軸受けされ、ブラシレスモータ２００によるディスクの回転が安定して行われるようにディスクの回転中心を位置決めする部材である。軸受け２０２は基板の所定箇所に固定されている。電磁コイル２０３は、シャフト２０１を取り巻くように設けられ、電流の通電によって所定の磁界を周囲に発生する部材である。永久磁石２０４は、電磁コイル２０３が発生する磁界と磁気的相互作用を生ずる部材である。
【０００５】
ロータ２０５は、一方の上面部分が閉口された円筒形状の部材であり、この閉口された上面部分の中心位置にシャフト２４１を設けると共に円筒部分における内壁面の所定位置に永久磁石２０４を設け、電磁コイル２０３と永久磁石２０４との間に生ずる磁気的相互作用によってシャフト２０１を中心に回転する。
【０００６】
このような構成にされるブラシレスモータ２００は以下のようにしてシャフト２０１を回転駆動する。まず、所定の電流を電磁コイル２０３に通電し、電磁コイル２０３の周囲に所定の磁界を発生させる。この所定の磁界は、ロータ２０５の内壁面に設けられた永久磁石２０４と磁気的な相互作用を生じ、永久磁石２０４と電磁コイル２０３との間には所定の相互作用力が発生する。
【０００７】
この相互作用力は、永久磁石２０４を内壁面に有するロータ２０５を、図５の矢印に示すように、シャフト２０１の位置を中心として回転させるための駆動力となる。この駆動力によって、ロータ２０５に設けられたシャフト２０１が回転駆動されるとともに、ターンテーブル２０７も回転する。
【０００８】
【特許文献１】
特開平８−３６８３０号公報
【発明が解決しようとする課題】
しかしながら、図５で示した従来のブラシレスモータ２００では、ターンテーブル２０７とモータ基板２０６との距離が長い場合に、軸受け２０２には大きなモーメントが発生してしまう。このモーメントは、シャフトのたわみの原因となり、そのたわみは振動の原因となるため、ディスクを安定して回転させることができないという問題がある。
【０００９】
そこで、本発明は上記従来技術の問題点を解決し、ディスクを安定して回転させることができるブラシレスモータ及びディスク装置を提供することを目的とする。
【００１０】
【課題を解決するための手段】
上記課題を解決するために、請求項１記載のブラシレスモータは、電流の通電によって所定の磁界を周囲に発生させる電磁コイルと、該電磁コイルを保持する支柱と、前記電磁コイルが発生する磁界と磁気的相互作用を生ずる永久磁石と、上面部分が閉口された円筒形状であり、該上面部分にターンテーブル部が形成され、該円筒部分における内壁面の所定の位置に前記永久磁石を設け、前記電磁コイルと前記永久磁石との間に生ずる磁気的相互作用によって、基板に取り付けられた軸受けを介して回転するロータとを有する。
【００１１】
請求項１記載の発明によれば、ロータ自身が従来のシャフトの代わりとなるため、モータの軸径が大きくなり、モータ軸の倒れ強度が増す。これにより、構造的に軸強度が増すため、従来発生していたモータ軸のたわみによる悪影響を抑制することができる。よって、ディスクを安定して回転させることができる。
【００１２】
また、請求項２記載のように、請求項１記載のブラシレスモータにおいて、前記ロータは、非熱処理材料を用いたことを特徴とする。
【００１３】
また、請求項３記載のディスク装置は、ディスクを駆動させるブラシレスモータを有し、該ブラシレスモータは請求項１又は請求項２記載のブラスレスモータであることを特徴とする。
【００１４】
【発明の実施の形態】
以下、本発明を適用した実施の形態について、図面を参照しながら説明する。図１は、ディスク装置の概略斜視図である。図２は、メインフレームとディスクトレーとを示す概略分解斜視図である。図３は、カバー体を分離して内部構成を示すディスク装置の概略斜視図である。
【００１５】
図１に示すように、ディスク装置１は、外筐２内に所要の各部材及び各機構が配置されて成り、外筐２はカバー体３と前面パネル４とから成る。カバー体３は天面部３ａと天面部３ａの両側縁からそれぞれ垂設された側面部３ｂが一体に形成されて成る。また、前面パネル４には横長の開口４ａが形成され、前面パネル４に開口４ａを開閉する扉体５がその上端部を支点として回動自在に支持されている。
【００１６】
前面パネル４には、左右に離間して再生用釦、記録用釦、停止用釦、トレー動作用釦等の各種の操作釦６が配置されている。また、図２に示すように、外筐２内にはメカフレーム７が配置されている。メカフレーム７は各種の機構が配置される機構配置面部７ａと機構配置面部７ａの両側縁から立設された側部７ｂとを有し、機構配置面部７ａの前端部にカム板や各種のギヤを有するローディング機構８が配置されている。
【００１７】
メカフレーム７にはディスクトレー９が前後方向へ移動自在に支持されている。ディスクトレー９には縦長の挿通孔９ａとディスク状記録媒体５０が載置されるディスク載置凹部９ｂとが形成されている。図３に示すように、メカフレーム７には側部７ｂ、７ｂ間に架け渡されるようにしてプーリー支持部材１０が取り付けられている。プーリー支持部材１０の中央部には、図示しないマグネットを有するチャッキングプーリー１１が回転自在かつ軸方向に移動自在に支持されている。
【００１８】
メカフレーム７の機構配置面部７ａには、ベース部材１２がその後端部を支点として回動自在に支持されており、ベース部材１２上に図示しない複数のダンパー部材を介してベースシャーシ１３が取り付けられている。ベースシャーシ１３はピックアップ支持部１４とモータ取付部１５とが一体に形成されている。ピックアップ支持部１４には、光学ピックアップ１６が移動自在に支持されている。
【００１９】
光学ピックアップ１６は、２軸アクチュエーター１８とを有し、２軸アクチュエーター１８には対物レンズ１８ａが設けられている。ベースシャーシ１３には送りモータ１９が取り付けられ、送りモータ１９によってベースシャーシ１３に支持された図示しないリードスクリューが回転される。光学ピックアップ１６は、図示しないガイド軸に摺動自在に支持されている。送りモータ１９の駆動によってリードスクリューが回転されると、その回転方向に応じた方向へ光学ピックアップ１６がガイド軸に案内されて移動される。図２において、１０７は後述するターンテーブル部である。
【００２０】
次に、本実施の形態に係るブラシレスモータについて具体的に説明する。図４は、本実施の形態に係るブラシレスモータの断面図である。図４に示すように、ブラシレスモータ１００は、支柱１０１と、軸受け１０２と、電磁コイル１０３と、永久磁石１０４と、ロータ１０５とから構成される。図中１０６は基板を示している。
【００２１】
支柱１０１は、電磁コイル１０３を保持する部材である。この支柱１０１は従来のシャフトとは異なり、ロータ１０５と一緒に回転するものではない。電磁コイル１０３は、支柱１０１を取り巻くように設けられ、電流の通電によって所定の磁界を周囲に発生する部材である。永久磁石１０４は、電磁コイル１０３が発生する磁界と磁気的相互作用を生ずる部材である。
【００２２】
ロータ１０５は、一方の上面部分が閉口された円筒形状の部材であり、この閉口された上面部分にターンテーブル部１０７が形成され、円筒部分における内壁面の所定位置に永久磁石１０４を設け、電磁コイル１０３と永久磁石１０４との間に生ずる磁気的相互作用によって基板１０６に取り付けられた軸受け１０２を介して基板１０６上を回転する。
【００２３】
ターンテーブル部１０７は、ロータ１０５の上面部分を形成しており、ターンテーブル部１０７の中央部分には従来のターンテーブルと同様にディスク芯出し突部１０８を有する。なお、ターンテーブル部１０７は樹脂材料によりロータ１０５と一体成形してもよい。
【００２４】
軸受け１０２は、基板上の所定の箇所に取りつけられている。基板１０６は、軸受け１０２の取り付け部分において、図示の如く断面コ字状で円筒状に形成されている。なお、軸受け１０２の基板１０６への取り付けは図４に示す例に限定されない。
【００２５】
このような構成により、本実施の形態に係るブラシレスモータ１００は以下のようにして回転駆動する。まず、所定の電流を電磁コイル１０３に通電し、電磁コイル１０３の周囲に所定の磁界を発生させる。この所定の磁界は、ロータ１０５の内壁面に設けられた永久磁石１０４と磁気的な相互作用を生じ、永久磁石１０４と電磁コイル１０３との間には所定の相互作用力が発生する。この相互作用力は、永久磁石１０４を内壁面に有するロータ１０５を、回転させるための駆動力となる。ロータ１０５が回転することにより、ロータ１０５に設けられたターンテーブル部１０７も一緒に回転する。
【００２６】
以上の通り、本実施の形態によれば、ロータ１０５自身が従来のシャフトの代わりとなるため、モータの軸径が大きくなり、軸の倒れ強度が増す。これにより、構造的に軸強度が増すため、モータ軸のたわみによる悪影響を抑制することができる。よって、ディスクを安定して回転させることができる。
【００２７】
また、本実施の形態によれば、構造的に軸強度が増すので、従来、シャフトの材質として用いていた高価なＳＵＳ（Ｓｔｅｅｌ  Ｕｓｅ  Ｓｔａｉｎｌｅｓｓ）の熱処理材を無くすことができる。このため、ロータ１０５の材料として安価な非熱処理材を用いることができる。非熱処理材には、例えば、熱処理をしていないステンレス、アルミ、ジュラルミン、鉄、プラスチック等が含まれる。
【００２８】
以上、本発明の一実施の形態を説明した。本発明は上記実施の形態に限定されるものではなく、本発明の要旨の範囲内において種々の変形実施が可能である。
【００２９】
【発明の効果】
以上説明した本発明によれば、ディスクを安定して回転させることができる。
【図面の簡単な説明】
【図１】ディスク装置の概略斜視図である。
【図２】メインフレームとディスクトレーとを示す概略分解斜視図である。
【図３】カバー体を分離して内部構成を示すディスク装置の概略斜視図である。
【図４】本実施の形態に係るブラシレスモータの断面図である。
【図５】従来のディスク装置におけるブラシレスモータの断面図である。
【符号の説明】
１００  ブラシレスモータ
１０１  支柱
１０２  軸受け
１０３  電磁コイル
１０４  永久磁石
１０５  ロータ
１０７  ターンテーブル部
【図１】
2004236417.tif 000003
【図２】
2004236417.tif 000004
【図３】
2004236417.tif 000005
【図４】
2004236417.tif 000006
【図５】
2004236417.tif 000007